【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
３次元モデルから成る設計物を表示し、マルチタッチを検知可能なタッチパネルを備える情報処理装置であって、
前記タッチパネルに対するユーザからのタッチ操作を検知する操作検知手段と、
前記操作検知手段で検知した前記タッチパネルのタッチ操作に応じて、前記設計物を構成する任意の部品を選択する選択手段と、
前記操作検知手段で検知した前記タッチパネルの複数のタッチ操作の少なくとも二点の位置を用いて、前記選択手段で選択された部品の回転軸を設定する回転軸設定手段と、
前記３次元モデルの回転指示がなされた場合に、前記回転軸設定手段で設定された回転軸に基づいて、前記選択手段で選択された部品のみを回転するように制御する回転手段と
を備えることを特徴とする情報処理装置。
【請求項２】
前記回転手段は、前記操作検知手段で前記少なくとも二点の位置を検知した状態で、当該二点の位置とは異なる位置のタッチ操作を検知した場合に、前記回転軸設定手段で設定された回転軸に基づいて、前記選択手段で選択された部品のみを回転するように制御することを特徴とする請求項１に記載の情報処理装置。
【請求項３】
前記異なる位置のタッチ操作は、前記操作検知手段で前記少なくとも二点の位置とは異なる位置におけるスライド操作であることを特徴とする請求項２に記載の情報処理装置。
【請求項４】
前記回転手段は、前記異なる位置の複数のタッチ操作を検知した場合に、前記回転軸設定手段で設定された回転軸に基づいて、前記選択手段で選択された部品と関連する部品が合わせて回転されるように制御することを特徴とする請求項２または３に記載の情報処理装置。
【請求項５】
前記回転軸設定手段は、前記操作検知手段で検知した前記タッチパネルの複数のタッチ操作の少なくとも二点の位置が変化した場合に、前記回転軸の奥行き方向を変更することを特徴とする請求項１乃至４のいずれか１項に記載の情報処理装置。
【請求項６】
前記回転軸設定手段は、前記操作検知手段で検知した前記タッチパネルの複数のタッチ操作の少なくとも二点の位置を結ぶ直線を前記選択手段で選択された部品の回転軸として設定することを特徴とする請求項１乃至５のいずれか１項に記載の情報処理装置。
【請求項７】
前記回転軸設定手段は、前記操作検知手段で検知した少なくとも一点の位置と、前記操作検知手段で検知した、スライド操作された位置とを用いて、前記選択手段で選択された部品の回転軸を設定することを特徴とする請求項１に記載の情報処理装置。
【請求項８】
前記回転軸設定手段は、前記操作検知手段で検知した少なくとも一点の位置から、前記スライド操作されたベクトル方向に対して直交する直線を、前記選択手段で選択された部品の回転軸として設定することを特徴とする請求項７に記載の情報処理装置。
【請求項９】
前記回転手段は、前記スライド操作された複数の位置を検知した場合に、前記回転軸設定手段で設定された回転軸に基づいて、前記選択手段で選択された部品と関連する部品が合わせて回転されるように制御することを特徴とする請求項７または８に記載の情報処理装置。
【請求項１０】
前記情報処理装置は、
前記操作検知手段でユーザからの一点のタッチ操作を検知した場合に、前記選択手段で選択された部品を三次元空間上において移動させる移動手段を更に備えることを特徴とする請求項１乃至９のいずれか１項に記載の情報処理装置。
【請求項１１】
３次元モデルから成る設計物を表示し、マルチタッチを検知可能なタッチパネルを備える情報処理装置の制御方法であって、
前記情報処理装置の操作検知手段が、前記タッチパネルに対するユーザからのタッチ操作を検知する操作検知ステップと、
前記情報処理装置の選択手段が、前記操作検知ステップで検知した前記タッチパネルのタッチ操作に応じて、前記設計物を構成する任意の部品を選択する選択ステップと、
前記情報処理装置の回転軸設定手段が、前記操作検知ステップで検知した前記タッチパネルの複数のタッチ操作の少なくとも二点の位置を用いて、前記選択ステップで選択された部品の回転軸を設定する回転軸設定ステップと、
前記情報処理装置の回転手段が、前記３次元モデルの回転指示がなされた場合に、前記回転軸設定ステップで設定された回転軸に基づいて、前記選択ステップで選択された部品のみを回転するように制御する回転ステップと
を備えることを特徴とする情報処理装置の制御方法。
【請求項１２】
３次元モデルから成る設計物を表示し、マルチタッチを検知可能なタッチパネルを備える情報処理装置の制御方法を実行可能なプログラムであって、
前記情報処理装置を、
前記タッチパネルに対するユーザからのタッチ操作を検知する操作検知手段と、
前記操作検知手段で検知した前記タッチパネルのタッチ操作に応じて、前記設計物を構成する任意の部品を選択する選択手段と、
前記操作検知手段で検知した前記タッチパネルの複数のタッチ操作の少なくとも二点の位置を用いて、前記選択手段で選択された部品の回転軸を設定する回転軸設定手段と、
前記３次元モデルの回転指示がなされた場合に、前記回転軸設定手段で設定された回転軸に基づいて、前記選択手段で選択された部品のみを回転するように制御する回転手段
として機能させることを特徴とするプログラム。
【手続補正２】
【補正対象書類名】明細書
【補正対象項目名】０００１
【補正方法】変更
【補正の内容】
【０００１】
本発明は、タッチパネルを備える情報処理装置において直感的に回転軸を設定し、３次元モデルから成る設計物を構成する部品のうち、選択された部品のみを回転することの可能な情報処理装置、その制御方法、及びプログラムに関する。
【手続補正３】
【補正対象書類名】明細書
【補正対象項目名】００１０
【補正方法】変更
【補正の内容】
【００１０】
本発明は、タッチパネルを備える情報処理装置において直感的に回転軸を設定し、３次元モデルから成る設計物を構成する部品のうち、選択された部品のみを回転することの可能な仕組みを提供することを目的とする。
【手続補正４】
【補正対象書類名】明細書
【補正対象項目名】００１１
【補正方法】変更
【補正の内容】
【００１１】
上記の目的を達成するために、本発明の情報処理装置は、３次元モデルから成る設計物を表示し、マルチタッチを検知可能なタッチパネルを備える情報処理装置であって、前記タッチパネルに対するユーザからのタッチ操作を検知する操作検知手段と、前記操作検知手段で検知した前記タッチパネルのタッチ操作に応じて、前記設計物を構成する任意の部品を選択する選択手段と、前記操作検知手段で検知した前記タッチパネルの複数のタッチ操作の少なくとも二点の位置を用いて、前記選択手段で選択された部品の回転軸を設定する回転軸設定手段と、前記３次元モデルの回転指示がなされた場合に、前記回転軸設定手段で設定された回転軸に基づいて、前記選択手段で選択された部品のみを回転するように制御する回転手段とを備えることを特徴とする。
【手続補正５】
【補正対象書類名】明細書
【補正対象項目名】００１２
【補正方法】変更
【補正の内容】
【００１２】
本発明によれば、タッチパネルを備える情報処理装置において直感的に回転軸を設定し、３次元モデルから成る設計物を構成する部品のうち、選択された部品のみを回転することが可能となる。